(57)【特許請求の範囲】
【請求項１】
透水性シートからなるトップシートと、不透水性シートからなるバックシートと、両シートの間に配設された吸水体とを有する吸収本体を備え、この吸収本体の左右外側部にサイドシートが配設されてなるおむつ本体の前部もしくは後部の一方に、ファスニングテープが左右に対をなして設けられ、このファスニングテープによりおむつ本体の前部と後部とが接合されるように構成された使い捨ておむつであって、
上記サイドシートを上下一対の不織布製帯状体によって形成し、
左右のサイドシートの内側辺部間に上記バックシートを配設するとともに、バックシートの外側辺部を吸水体の上方に折り返し、この折り返し部と、サイドシートを構成する上面側の不織布製帯状体の内側辺部との間に、下面側の不織布製帯状体の内側辺部を配設して固着し、
上記トップシートの左右外側辺部に沿って立上りギャザーを配設したことを特徴とする使い捨ておむつ。
【請求項２】
透水性シートからなるトップシートと、不透水性シートからなるバックシートと、両シートの間に配設された吸水体とを有する吸収本体を備え、この吸収本体の左右外側部にサイドシートが配設されてなるおむつ本体の前部もしくは後部の一方に、ファスニングテープが左右に対をなして設けられ、このファスニングテープによりおむつ本体の前部と後部とが接合されるように構成された使い捨ておむつであって、
上記サイドシートを一枚の不織布製帯状体によって形成し、左右のサイドシートの内側辺部間に上記バックシートを配設するとともに、上記トップシートの左右外側辺部に沿って立上りギャザーを配設したことを特徴とする使い捨ておむつ。
【請求項３】
バックシートの外側辺部を吸水体の上方に折り返し、この折り返し部を、トップシートの下面に接合してなる請求項２に記載の使い捨ておむつ。
【請求項４】
立上りギャザーを不織布によって形成するとともに、その外側辺部にサイドシートを構成する不織布製帯状体を一体に形成した請求項１〜３のいずれかに記載の使い捨ておむつ。
【請求項５】
上記バックシートが不織布によって形成されるものである請求項１〜４のいずれかに記載の使い捨ておむつ。
【請求項６】
上記バックシートが不織布によって形成されるものであり、かつ、上記バックシートの外側辺部と上記サイドシートを構成する不織布製帯状体を一体に形成した請求項２に記載の使い捨ておむつ。
【発明の詳細な説明】
【０００１】
【発明の属する技術分野】
本発明は、透水性シートからなるトップシートと、不透水性シートからなるバックシートと、両シートの間に配設された吸水体とを有する吸収本体を備え、この吸収本体の左右外側部にサイドシートが配設されてなるおむつ本体の前部もしくは後部の一方に、ファスニングテープが左右に対をなして設けられ、このファスニングテープによりおむつ本体の前部と後部とが接合されることによりパンツ状に形成される使い捨ておむつに関するものである。
【０００２】
【従来の技術】
従来、例えば特公平４−６７８６５号公報に示されるように、透水性シートからなるトップシート（液透過性の上面シート）と、不透水性シートからなるバックシート（液不透過性の下面シート）と、これらの両シート間に位置する吸水体（吸水層）とを有し、この吸水体の幅方向両側部には、サイドシート（第１のサイドフラップ）が延出され、このサイドシートの上側には、立上りギャザー（第２のサイドフラップ）が設けられてなる使い捨ておむつが知られている。
【０００３】
【発明が解決しようとする課題】
上記吸水体の幅方向両側部に配設されたサイドシートは、着用者の大腿部に巻き付けられて装着されるものであり、一般にポリエチレンフィルム等の不透水性を有する素材からなるバックシート等を左右に延出することによって上記サイドシートが形成されているため、この部分の通気性が悪くなるとともに、着用感が悪化することが避けられないという問題がある。なお、上記公報に記載された使い捨ておむつでは、バックシートに透湿の目的で微細孔を形成することにより、通気性を良くするように構成されている。
【０００４】
しかし、上記バックシートからなるサイドシートに形成される微細孔の個数を多くするとともに、その孔径を大きく設定することにより、サイドシートの通気性を十分に確保するように構成した場合には、上記バックシートの不透液性が低下することになるため、上記微細孔の個数および孔径を、所定値以下に制限する必要がある。したがって、上記サイドシートを構成するバックシートに透湿用の上記微細孔を形成した場合においても、十分な通気性を得ることが困難であるとともに、着用感を向上させることができないという問題があった。
【０００５】
本発明は、このような事情に鑑み、着用者の大腿部に巻き付けられるサイドシートの通気性を十分に維持して着用感を効果的に向上させることができる使い捨ておむつを提供するものである。
【０００６】
【課題を解決するための手段】
請求項１に係る発明は、透水性シートからなるトップシートと、不透水性シートからなるバックシートと、両シートの間に配設された吸水体とを有する吸収本体を備え、この吸収本体の左右外側部にサイドシートが配設されてなるおむつ本体の前部もしくは後部の一方に、ファスニングテープが左右に対をなして設けられ、このファスニングテープによりおむつ本体の前部と後部とが接合されるように構成された使い捨ておむつであって、上記サイドシートを上下一対の不織布製帯状体によって形成し、左右のサイドシートの内側辺部間に上記バックシートを配設するとともに、バックシートの外側辺部を吸水体の上方に折り返し、この折り返し部と、サイドシートを構成する上面側の不織布製帯状体の内側辺部との間に、下面側の不織布製帯状体の内側辺部を配設して固着し、上記トップシートの左右外側辺部に沿って立上りギャザーを配設したものである。
【０００７】
上記構成によれば、不透液性シートからなるバックシートが、不織布製帯状体からなる左右のサイドシートの内側辺部間に配設されることにより、おむつ本体の左右両側方部に不透液性シートが設置されることが防止される。そして、上記不織布製帯状体からなる左右のサイドシートが着用者の大腿部に巻き付けられるため、この部分の通気性および着用感が良好状態に維持されることになる。
また、上記構成によれば、サイドシートを構成する下面側の不織布製帯状体の内側辺部が、上面側の不織布製帯状体の内側辺部と、バックシートの折り返し部とにより挟持された状態で安定して保持されることになる。
【００１４】
請求項２に係る発明は、透水性シートからなるトップシートと、不透水性シートからなるバックシートと、両シートの間に配設された吸水体とを有する吸収本体を備え、この吸収本体の左右外側部にサイドシートが配設されてなるおむつ本体の前部もしくは後部の一方に、ファスニングテープが左右に対をなして設けられ、このファスニングテープによりおむつ本体の前部と後部とが接合されるように構成された使い捨ておむつであって、上記サイドシートを一枚の不織布製帯状体によって形成し、左右のサイドシートの内側辺部間に上記バックシートを配設するとともに、上記トップシートの左右外側辺部に沿って立上りギャザーを配設したものである。
上記構成によれば、不透液性シートからなるバックシートが、不織布製帯状体からなる左右のサイドシートの内側辺部間に配設されることにより、おむつ本体の左右両側方部に不透液性シートが設置されることが防止される。そして、上記不織布製帯状体からなる左右のサイドシートが着用者の大腿部に巻き付けられるため、この部分の通気性および着用感が良好状態に維持されることになる。
【００１５】
上記構成によれば、サイドシートが簡単かつ安価に製造されるとともに、着用者の大腿部に巻き付けられる上記サイドシートの通気性および着用感が、より良好状態に維持されることになる。
【００１６】
請求項４に係る発明は、上記請求項１〜請求項３のいずれかに記載の使い捨ておむつにおいて、立上りギャザーを不織布によって形成するとともに、その外側辺部にサイドシートを構成する不織布製帯状体を一体に形成したものである。
【００１７】
上記構成によれば、着用者の大腿部に巻き付けられる上記サイドシートと、トップシートの外側辺部に沿って設置される上記立上りギャザーとが一体に形成されることにより、これらの製造および取付けが容易に行なわれることになる。
請求項５の発明は、上記請求項１〜請求項４のいずれかに記載の使い捨ておむつにおいて、上記バックシートが不織布によって形成したものである。
請求項６の発明は、請求項２に記載の使い捨ておむつにおいて、上記バックシートが不織布によって形成されるものであり、かつ、上記バックシートの外側辺部と上記サイドシートを構成する不織布製帯状体を一体に形成したものである。
上記構成によれば、使い捨ておむつの製造を容易に行なうことができる。
【００１８】
【発明の実施の形態】
図１〜図３は、本発明に係る使い捨ておむつの実施形態を示している。この使い捨ておむつは、上面側（人体当接面側）に配設されるトップシート１と、下面側に配設されるバックシート２と、両シート１，２間に配設された吸水体３と、上記トップシート１の左右外側部に配設されたサイドシート４，４とを有する平板状のおむつ本体５を備え、このおむつ本体５の後部５ｂ、つまり着用者の背中側部分には、ファスニングテープ６，６が左右に対をなして設けられている。
【００１９】
上記トップシート１は、不織布や孔明きフィルム等の透液性を有する素材によって形成され、その上面には左右一対の立上りギャザー７，７が取り付けられている。この立上りギャザー７は、所定幅を有する不織布によって形成され、その内側辺部に、糸状に形成された天然ゴム、合成ゴムまたはポリウレタン樹脂等からなる線状弾性体８が貼着されている。そして、上記立上りギャザー７の長さ方向の両端部および幅方向の外側辺部がトップシート１の上面に接着されるとともに、幅方向の内側辺部に所定長さの非接着部が設けられることにより、上記トップシート１の左右両側辺部に沿ってポケット状に開口した尿止め堰が形成されるようになっている。
【００２０】
上記バックシート２は、不透液性を有するプラスチックフィルムもしくは不織布またはこれらの積層体等によって形成され、その外側辺部が吸水体３の上方に折り返されるとともに、この折り返し部２ａが接着剤等によって上記トップシート１の下面に固着されている。上記吸水体３は、主に粉砕パルプ繊維と高吸水性樹脂粉末との混合物をティッシュで包む等によって形成されている。そして、上記吸収体３が上面部が上記トップシート１によって被覆されるとともに、左右外側辺部および下面部が上記バックシート２によって被覆された状態で、両シート１，２間に収容されることにより、吸収本体５０が構成されている。
【００２１】
また、トップシート１とバックシート２の間には、おむつ本体５の幅方向に伸びる線状弾性体９，９が、おむつ本体５の長さ方向の両端部にそれぞれ伸長状態で貼着されるとともに、おむつ本体５の中央部左右に、その長さ方向に伸びる線状弾性体１０，１０が伸長状態で貼着され、これらの線状弾性体９，１０が有する弾力性に応じてウエスト用ギャザーおよび脚部用ギャザーがおむつ本体５の長さ方向の両端部および左右両側辺部に沿って形成されるようになっている。
【００２２】
上記吸収本体５０の左右外側部に設けられたサイドシート４，４は、上記立上りギャザー７の外側辺部に一体に形成された上面側の不織布製帯状体１１と、その下面に固着された下面側の不織布製帯状体１２とからなり、このサイドシート４，４の内側辺部の間に上記バックシート２が配設されている。すなわち、下面側の不織布製帯状体１２の内側辺部が、上記上面側の不織布製帯状体１１の内側辺部と、上記折り返し部２ａからなるバックシート１の外側辺部との間に配設されて接着剤等により固着されることにより、上記サイドシート４，４を構成する下面側の不織布製帯状体１２，１２の内側辺部間にバックシート２が配設されてこれらが一体に固着されている。
【００２３】
また、着用者の背中側に配設されるサイドシート４の前部と、着用者の腹部側に配設されるサイドシート４の後部とには、図１に示すように、それぞれおむつ本体５の左右外方側に突出する突部４ａ，４ｂが設けられることにより、おむつ本体５の全体形状が略砂時計状に形成されている。そして、おむつ本体５の後部５ｂ側に位置するサイドシート４の上記突部４ｂにファスニングテープ６がそれぞれ取り付けられている。
【００２４】
上記ファスニングテープ６は、基端部が上面側の不織布製帯状体１１の先端部と、下面側の不織布製帯状体１２の先端部との間に配設されて接着剤等により固着され、上記ファスニングテープ６には、粘着剤層１４を有する上下一対の貼着部１３がそれぞれ突設されている。この貼着部１３は、非使用時におむつ側に折り返されて上記粘着剤層１４の粘着力によりファスニングテープ６に仮止めされた状態に保持され、使用時にファスニングテープ６から剥がされるように構成されている。
【００２５】
一方、おむつ本体５の前部５ａには、図示を省略したプラスチックフィルムからなるターゲットテープがバックシート２の下面に接着され、このターゲットテープに上記ファスニングテープ６の貼着部１３が貼着されるようになっている。なお、上記粘着剤層１４に代えて機械式面ファスナのフック部材をファスニングテープ６の貼着部１３に配設するとともに、上記プラスチックフィルムからなるターゲットテープに代えてループ状の繊維を有する不織布または編み地等からなるターゲットテープをバックシート２の下面に取り付けた構造としてもよい。また、上記ファスニングテープ６，６を、おむつ本体５の前部５ａ、つまり着用者の腹部側部分に配設するとともに、上記ターゲットテープをおむつ本体５の後部５ｂ側に配設した構造としてもよい。
【００２６】
上記のように構成された使い捨ておむつは、吸収本体５０の左右外側部に配設されたサイドシート４，４を不織布製帯状体１１，１２によって形成し、この左右のサイドシート４，４の内側辺部間に、上記吸収本体５０を構成する不透水性のバックシート２を配設したため、着用者の大腿部に巻き付けられる上記サイドシート４の通気性を十分に確保しつつ、良好な着用感を得ることができる。すなわち、上記サイドシート４，４を、十分な通気性を有する柔軟な素材からなる不織布製帯状体１１，１２によって形成したため、着用者の大腿部における通気性を十分に維持することができる。したがって、上記使い捨ておむつを長時間に亘って着用したとしても、不透水性シートからなるバックシートを左右に延出することによってサイドシートを形成した場合のように、蒸れやかぶれ等を生じることがなく、着用感を良好状態に維持することができる。
【００２７】
また、上記実施形態では、サイドシート４を上下一対の不織布製帯状体１１，１２によって形成し、この上面側の不織布製帯状体１１と下面側の不織布製帯状体１２の間に、上記ファスニングテープ６の基端部を配設して固着したため、上記サイドシート４を構成する上面側の不織布製帯状体１１と、下面側の不織布製帯状体１２とにより、ファスニングテープ６の基端部を挟持した状態で安定して保持することができる。
【００２８】
特に、上記実施形態に示すように、サイドシート４を構成する下面側の不織布製帯状体１２の内側辺部を、上面側の不織布製帯状体１１の内側辺部と、バックシート２の折り返し部２ａからなる外側辺部との間に配設して固着した場合には、上記下面側の不織布製帯状体１２の内側辺部を、上面側の不織布製帯状体１１の内側辺部と、バックシート２の折り返し部２ａとにより挟持した状態で安定して保持することができるため、使い捨ておむつの着用時に、おむつ本体５の外面側に配設されて大きな荷重が作用する上記下面側の不織布製帯状体１２の取付け状態を安定して保持できるという利点がある。なお、上記ファスニングテープ６とサイドシート４との固着部またはサイドシート４とトップシート１との固着部に、接着剤を部分的に塗布する等により、上記固着部の柔軟性が失われないすることが望ましい。
【００２９】
上記立上りギャザー７と、サイドシート４を構成する上記不織布製帯状体１１とを別体に形成することもできるが、上記実施形態に示すように、不織布からなる立上りギャザー７の外側辺部にサイドシート４を構成する上面側の不織布製帯状体１１を一体に形成した場合には、着用者の大腿部に巻き付けられる上面側の不織布製帯状体１１と、トップシート１の外側辺部に沿って設置される上記立上りギャザー７との製造作業および取付け作業を同時に行なうことにより、これらを安価に製造することができるとともに、その取付け作業を容易に行なうことができる。
【００３０】
また、上記実施形態に代え、図４に示すように、サイドシート４を構成する上面側の不織布製帯状体１１の内側辺部を、トップシート１の上面に固着するとともに、下面側の不織布製帯状体１２の内側辺部を、バックシート２の下面に固着した構成としてもよい。この構成によれば、吸水体３の上面および下面を被覆するトップシート１およびバックシート２の外側辺部を、上記上面側の不織布製帯状体１１および下面側の不織布製帯状体１２とによって挟持して安定して保持することができる。
【００３１】
また、上記実施形態では、サイドシート４を上面側の不織布製帯状体１１と裏面側の不織布製帯状体１２とによって構成した例について説明したが、図５または図６に示すように、一枚の不織布製帯状体１５によってサイドシート４を構成し、上記不織布製帯状体１５を立上りギャザー７の外側辺部に一体に形成し、あるいは上記不織布製帯状体１５の内側辺部をバックシート２の下面に固着した構成としてもよい。この構成によれば、上記サイドシート４の構造を簡略化して安価に製造することができるとともに、その通気性をさらに効果的に向上させることができる。
【００３２】
なお、上記バックシート２の外側辺部を上方に折り返し、この折り返し部２ａをトップシート１の下面に接合してなる上記実施形態に代え、トップシート１およびバックシート２の外側辺部をそれぞれ吸水本体５０の左右外側方に延出し、この延出部を互いに接合するように構成してもよい。
【００３３】
また、上記バックシート２を不織布によって形成するとともに、その外側辺部にサイドシート４を構成する不織布製帯状体を一体に形成し、吸収体３の下面に位置するバックシート２の範囲のみに撥水処理を施すことにより、この部分に不透液性を持たせるようにし、あるいはＳＭＣ積層不織布（スパンボンド−メルトブロー−スパンボンド）によって上記サイドシート４およびバックシート２を一体に形成し、このバックシート２の範囲におけるメルトブロー層を厚くすることにより、この部分に不透水性を持たせるようにしてもよい。このように上記サイドシート４およびバックシート２を一体に形成した場合には、使い捨ておむつの製造を容易に行なうことができる。
【００３４】
【発明の効果】
以上説明したように、透水性シートからなるトップシートと、不透水性シートからなるバックシートと、両シートの間に配設された吸水体とを有する吸収本体を備え、この吸収本体の左右外側部にサイドシートが配設されてなるおむつ本体の前部もしくは後部の一方に、ファスニングテープが左右に対をなして設けられ、このファスニングテープによりおむつ本体の前部と後部とが接合されるように構成された使い捨ておむつにおいて、上記サイドシートを不織布製帯状体によって形成し、左右のサイドシートの内側辺部間に上記バックシートを配設するとともに、上記トップシートの左右外側辺部に沿って立上りギャザーを配設したため、着用者の大腿部に巻き付けられる上記サイドシートの通気性を十分に確保し、上記使い捨ておむつを長時間に亘って着用したとしても、蒸れやかぶれ等を生じることがなく、着用感を良好状態に維持することができる。
【００３５】
また、サイドシートを上下一対の不織布製帯状体によって形成し、この上面側の不織布製帯状体と下面側の不織布製帯状体の間にファスニングテープの基端部を配設して固着したため、上記上面側の不織布製帯状体と、下面側の不織布製帯状体とにより、ファスニングテープの基端部を挟持した状態で安定して保持できるという利点がある。
【００３６】
また、バックシートの外側辺部を吸水体の上方に折り返し、この折り返し部と、サイドシートを構成する上面側の不織布製帯状体の内側辺部との間に、下面側の不織布製帯状体の内側辺部を配設して固着したため、上記下面側の不織布製帯状体の内側辺部を、バックシートの折り返し部と、上面側の不織布製帯状体の内側辺部とにより挟持した状態で安定して保持することができるため、使い捨ておむつの着用時に、おむつ本体の外面側に配設されて大きな荷重が作用する上記下面側の不織布製帯状体の取付け状態を安定して保持できるという利点がある。
【００３７】
また、サイドシートを構成する上面側の不織布製帯状体の内側辺部を、トップシートの上面に固着するとともに、下面側の不織布製帯状体の内側辺部を、バックシートの下面に固着したため、吸水体の上面および下面を被覆するトップシートおよびバックシートの外側辺部を、上記上面側の不織布製帯状体および下面側の不織布製帯状体とによって挟持して安定して保持することができる。
【００３８】
また、サイドシートを一枚の不織布製帯状体によって構成したため、サイドシートの構造を簡略化して安価に製造することができるとともに、その通気性をさらに効果的に向上させることができる。
【００３９】
また、立上りギャザーを不織布によって形成するとともに、その外側辺部にサイドシートを構成する不織布製帯状体を一体に形成したため、着用者の大腿部に巻き付けられる上記上面側の不織布製帯状体と、トップシートの外側辺部に沿って設置される上記立上りギャザーとを同時に製造し、これらを一体の状態で取り付けることができるため、これらの製造作業および取付け作業を容易に行なうことができる。
【図面の簡単な説明】
【図１】本発明に係る使い捨ておむつの実施形態を示す説明図である。
【図２】図１のＡ−Ａ線断面図である。
【図３】図１のＢ−Ｂ線断面図である。
【図４】本発明に係る使い捨ておむつの別の実施形態を示す図２相当図である。
【図５】本発明に係る使い捨ておむつのさらに別の実施形態を示す図２相当図である。
【図６】本発明に係る使い捨ておむつのさらに別の実施形態を示す図２相当図である。
【符号の説明】
１  トップシート
２  バックシート
３  吸水体
４  サイドシート
５  おむつ本体
６  ファスニングテープ
７  立上りギャザー
１１  上面側の不織布製帯状体
１２  下面側の不織布製帯状体
５０  吸収本体
【図１】
0004028632.tif 000002
【図２】
0004028632.tif 000003
【図３】
0004028632.tif 000004
【図４】
0004028632.tif 000005
【図５】
0004028632.tif 000006
【図６】
0004028632.tif 000007